(57)【特許請求の範囲】
【請求項１】
ワイヤレス通信ネットワーク（１００）においてＲＴＳ／ＣＴＳ（Request-to-Send/Clear-to-Send）送信を扱うための、第１のステーション（ＳＴＡ１）により実行される方法であって、前記第１のステーション（ＳＴＡ１）は、第１の基本サービスセット（ＢＳＳ１）内の第１のアクセスポイント（ＡＰ１）によりサービスされ、前記方法は、
第２の基本サービスセット（ＢＳＳ２）に関するＲＴＳ／ＣＴＳ送信を受信すること（３０１）と、
前記ＲＴＳ／ＣＴＳ送信が前記第２の基本サービスセット（ＢＳＳ２）内の第２のステーション（ＳＴＡ２）から送信されたのか又は第２のアクセスポイント（ＡＰ２）から送信されたのかに基づいて、前記ＲＴＳ／ＣＴＳ送信に従ってＮＡＶ（Network  Allocation  Vector）を設定するか否かを決定すること（３０２）と、
前記ＲＴＳ／ＣＴＳ送信が前記第２のステーション（ＳＴＡ２）から送信されたＲＴＳ送信であるか又は前記第２のアクセスポイント（ＡＰ２）から送信されたＣＴＳ送信である場合に、前記ＲＴＳ／ＣＴＳ送信に従ってＮＡＶを設定しないと決定することと、
前記ＲＴＳ／ＣＴＳ送信が前記第２のアクセスポイント（ＡＰ２）から送信されたＲＴＳ送信であるか又は前記第２のステーション（ＳＴＡ２）から送信されたＣＴＳ送信である場合に、前記ＲＴＳ／ＣＴＳ送信に従ってＮＡＶを設定すると決定することと、
を含む方法。
【請求項２】
ワイヤレス通信ネットワーク（１００）においてＲＴＳ／ＣＴＳ（Request-to-Send/Clear-to-Send）送信を扱うための、第１のステーション（ＳＴＡ１）により実行される方法であって、前記第１のステーション（ＳＴＡ１）は、第１の基本サービスセット（ＢＳＳ１）内の第１のアクセスポイント（ＡＰ１）によりサービスされ、前記方法は、
第２の基本サービスセット（ＢＳＳ２）に関するＲＴＳ／ＣＴＳ送信を受信すること（３０１）と、
前記ＲＴＳ／ＣＴＳ送信が前記第２の基本サービスセット（ＢＳＳ２）内の第２のステーション（ＳＴＡ２）から送信されたのか又は第２のアクセスポイント（ＡＰ２）から送信されたのかに基づいて、前記ＲＴＳ／ＣＴＳ送信に従ってＮＡＶ（Network  Allocation  Vector）を設定するか否かを決定すること（３０２）と、
前記ＲＴＳ／ＣＴＳ送信が前記第２のステーション（ＳＴＡ２）から送信されたＲＴＳ送信であり且つ前記ＲＴＳ送信の測定される信号電力が第１の決定される閾値を下回る場合、又は、前記ＲＴＳ／ＣＴＳ送信が前記第２のアクセスポイント（ＡＰ２）から送信されたＣＴＳ送信である場合に、前記ＲＴＳ／ＣＴＳ送信に従ってＮＡＶを設定しないと決定すること、
を含む、方法。
【請求項３】
前記第２のステーション（ＳＴＡ２）からの前記ＲＴＳ送信の前記測定される信号電力が第１の決定される閾値を上回る場合に、前記ＲＴＳ送信に従ってＮＡＶを設定しないと決定すること、をさらに含み、
−  前記第１のアクセスポイント（ＡＰ１）からの別のＲＴＳ送信を受信することに応答して、前記第１のアクセスポイント（ＡＰ１）への別のＣＴＳ送信において、近傍のアップリンク送信の今後の発生を示す情報を送信すること、
−  前記第１のアクセスポイント（ＡＰ１）からの別のＲＴＳ送信を受信することに応答して、前記第１のアクセスポイント（ＡＰ１）への別のＣＴＳ送信において、前記第１のアクセスポイント（ＡＰ１）が前記第１のステーション（ＳＴＡ１）へデータを送信可ではないことを示す情報を送信すること、又は、
−  前記第２のステーション（ＳＴＡ２）からの前記ＲＴＳ送信によって示される時間ピリオドにわたり、前記第１のアクセスポイント（ＡＰ１）からのいかなる受信されるＲＴＳ送信をも無視すること、
のうちの１つをさらに実行する、
請求項２に記載の方法。
【請求項４】
前記ＲＴＳ／ＣＴＳ送信が前記第２のアクセスポイント（ＡＰ２）から送信されたＲＴＳ送信である場合、又は、前記ＲＴＳ／ＣＴＳ送信が前記第２のステーション（ＳＴＡ２）から送信されたＣＴＳ送信であり且つ前記ＣＴＳ送信の測定される信号電力が第２の決定される閾値を下回る場合に、前記ＲＴＳ／ＣＴＳ送信に従ってＮＡＶを設定しないと決定することと、
前記ＲＴＳ／ＣＴＳ送信が前記第２のステーション（ＳＴＡ２）から送信されたＣＴＳ送信であり且つ前記ＣＴＳ送信の測定される信号電力が前記第２の決定される閾値を上回る場合に、前記ＲＴＳ／ＣＴＳ送信に従ってＮＡＶを設定すると決定することと、
をさらに含む、請求項２又は３に記載の方法。
【請求項５】
ワイヤレス通信ネットワーク（１００）においてＲＴＳ／ＣＴＳ（Request-to-Send／Clear-to-Send）送信を扱うための第１のステーション（ＳＴＡ１）であって、前記第１のステーション（ＳＴＡ１）は、第１の基本サービスセット（ＢＳＳ１）内の第１のアクセスポイント（ＡＰ１）によりサービスされ、前記第１のステーション（ＳＴＡ１）は、
第２の基本サービスセット（ＢＳＳ２）に関するＲＴＳ／ＣＴＳ送信を受信し、前記ＲＴＳ／ＣＴＳ送信が前記第２の基本サービスセット（ＢＳＳ２）内の第２のステーション（ＳＴＡ２）から送信されたのか又は第２のアクセスポイント（ＡＰ２）から送信されたのかに基づいて、前記ＲＴＳ／ＣＴＳ送信に従ってＮＡＶ（Network  Allocation  Vector）を設定するか否かを決定し、
前記ＲＴＳ／ＣＴＳ送信が前記第２のステーション（ＳＴＡ２）から送信されたＲＴＳ送信であるか又は前記第２のアクセスポイント（ＡＰ２）から送信されたＣＴＳ送信である場合に、前記ＲＴＳ／ＣＴＳ送信に従ってＮＡＶを設定しないと決定し、前記ＲＴＳ／ＣＴＳ送信が前記第２のアクセスポイント（ＡＰ２）から送信されたＲＴＳ送信であるか又は前記第２のステーション（ＳＴＡ２）から送信されたＣＴＳ送信である場合に、前記ＲＴＳ／ＣＴＳ送信に従ってＮＡＶを設定すると決定する、
ように構成される、第１のステーション（ＳＴＡ１）。
【請求項６】
ワイヤレス通信ネットワーク（１００）においてＲＴＳ／ＣＴＳ（Request-to-Send／Clear-to-Send）送信を扱うための第１のステーション（ＳＴＡ１）であって、前記第１のステーション（ＳＴＡ１）は、第１の基本サービスセット（ＢＳＳ１）内の第１のアクセスポイント（ＡＰ１）によりサービスされ、前記第１のステーション（ＳＴＡ１）は、
第２の基本サービスセット（ＢＳＳ２）に関するＲＴＳ／ＣＴＳ送信を受信し、前記ＲＴＳ／ＣＴＳ送信が前記第２の基本サービスセット（ＢＳＳ２）内の第２のステーション（ＳＴＡ２）から送信されたのか又は第２のアクセスポイント（ＡＰ２）から送信されたのかに基づいて、前記ＲＴＳ／ＣＴＳ送信に従ってＮＡＶ（Network  Allocation  Vector）を設定するか否かを決定し、
前記ＲＴＳ／ＣＴＳ送信が前記第２のステーション（ＳＴＡ２）から送信されたＲＴＳ送信であり且つ前記ＲＴＳ送信の測定される信号電力が第１の決定される閾値を下回る場合、又は、前記ＲＴＳ／ＣＴＳ送信が前記第２のアクセスポイント（ＡＰ２）から送信されたＣＴＳ送信である場合に、前記ＲＴＳ／ＣＴＳ送信に従ってＮＡＶを設定しないと決定する、ように構成される、第１のステーション（ＳＴＡ１）。
【請求項７】
前記第２のステーション（ＳＴＡ２）からの前記ＲＴＳ送信の前記測定される信号電力が第１の決定される閾値を上回る場合に、前記ＲＴＳ送信に従ってＮＡＶを設定しないと決定し、前記第１のアクセスポイント（ＡＰ１）からの別のＲＴＳ送信を受信することに応答して、前記第１のアクセスポイント（ＡＰ１）へのＣＴＳ送信において、近傍のアップリンク送信の今後の発生を示す情報を送信すること、前記第１のアクセスポイント（ＡＰ１）からの別のＲＴＳ送信を受信することに応答して、前記第１のアクセスポイント（ＡＰ１）へのＣＴＳ送信において、前記第１のアクセスポイント（ＡＰ１）が前記第１のステーション（ＳＴＡ１）へデータを送信可ではないことを示す情報を送信すること、又は、前記第２のステーション（ＳＴＡ２）からの前記ＲＴＳ送信によって示される時間ピリオドにわたり、前記第１のアクセスポイント（ＡＰ１）からのいかなる受信されるＲＴＳ送信をも無視すること、のうちの１つをさらに実行する、ようにさらに構成される、請求項６に記載の第１のステーション（ＳＴＡ１）。
【請求項８】
前記ＲＴＳ／ＣＴＳ送信が前記第２のアクセスポイント（ＡＰ２）から送信されたＲＴＳ送信である場合、又は、前記ＲＴＳ／ＣＴＳ送信が前記第２のステーション（ＳＴＡ２）から送信されたＣＴＳ送信であり且つ前記ＣＴＳ送信の測定される信号電力が第２の決定される閾値を下回る場合に、前記ＲＴＳ／ＣＴＳ送信に従ってＮＡＶを設定しないと決定し、前記ＲＴＳ／ＣＴＳ送信が前記第２のステーション（ＳＴＡ２）から送信されたＣＴＳ送信であり且つ前記ＣＴＳ送信の測定される信号電力が前記第２の決定される閾値を上回る場合に、前記ＲＴＳ／ＣＴＳ送信に従ってＮＡＶを設定すると決定する、ようにさらに構成される、請求項６又は７に記載の第１のステーション（ＳＴＡ１）。
【請求項９】
プロセッサ（９１０）及びメモリ（９２０）をさらに含み、前記メモリ（９２０）は、
前記プロセッサ（９１０）により実行可能な命令を含む、請求項５から８のいずれかに記載の第１のステーション（ＳＴＡ１）。
【請求項１０】
ワイヤレス通信ネットワーク（１００）においてＲＴＳ／ＣＴＳ（Request-to-Send／Clear-to-Send）送信を扱うための、第１のアクセスポイント（ＡＰ１）により実行される方法であって、前記第１のアクセスポイント（ＡＰ１）は、第１の基本サービスセット（ＢＳＳ１）内の少なくとも第１のステーション（ＳＴＡ１）にサービスし、前記方法は、
第２の基本サービスセット（ＢＳＳ２）に関するＲＴＳ／ＣＴＳ送信を受信すること（４０１）と、
前記ＲＴＳ／ＣＴＳ送信が前記第２の基本サービスセット（ＢＳＳ２）内の第２のステーション（ＳＴＡ２）から送信されたのか又は第２のアクセスポイント（ＡＰ２）から送信されたのかに基づいて、前記ＲＴＳ／ＣＴＳ送信に従ってＮＡＶ（Network  Allocation  Vector）を設定するか否かを決定すること（４０２）と、
前記ＲＴＳ／ＣＴＳ送信が前記第２のステーション（ＳＴＡ２）から送信されたＲＴＳ送信であるか又は前記第２のアクセスポイント（ＡＰ２）から送信されたＣＴＳ送信である場合に、前記ＲＴＳ／ＣＴＳ送信に従ってＮＡＶを設定すると決定することと、
前記ＲＴＳ／ＣＴＳ送信が前記第２のアクセスポイント（ＡＰ２）から送信されたＲＴＳ送信であるか又は前記第２のステーション（ＳＴＡ２）から送信されたＣＴＳ送信である場合に、前記ＲＴＳ／ＣＴＳ送信に従ってＮＡＶを設定しないと決定することと、
を含む方法。
【請求項１１】
前記第１のステーション（ＳＴＡ１）への別のＲＴＳ送信を送信することに応答して、
前記第１のステーション（ＳＴＡ１）からの別のＣＴＳ送信において、近傍のアップリンク送信の今後の発生を示す情報を受信することと、受信された前記情報に基づいて、前記第１のステーション（ＳＴＡ１）への以降のデータ送信の１つ以上の送信パラメータを設定することと、をさらに含む、請求項１０に記載の方法。
【請求項１２】
前記第１のステーション（ＳＴＡ１）への別のＲＴＳ送信を送信することに応答して、
前記第１のステーション（ＳＴＡ１）からの別のＣＴＳ送信において、前記第１のアクセスポイント（ＡＰ１）が前記第１のステーション（ＳＴＡ１）へデータを送信可ではないことを示す情報を受信すること、をさらに含む、請求項１０に記載の方法。
【請求項１３】
ワイヤレス通信ネットワーク（１００）においてＲＴＳ／ＣＴＳ（Request-to-Send／Clear-to-Send）送信を扱うための第１のアクセスポイント（ＡＰ１）であって、前記第１のアクセスポイント（ＡＰ１）は、第１の基本サービスセット（ＢＳＳ１）内の少なくとも第１のステーション（ＳＴＡ１）にサービスし、前記第１のアクセスポイント（ＡＰ１）は、
第２の基本サービスセット（ＢＳＳ２）に関するＲＴＳ／ＣＴＳ送信を受信し、前記ＲＴＳ／ＣＴＳ送信が前記第２の基本サービスセット（ＢＳＳ２）内の第２のステーション（ＳＴＡ２）から送信されたのか又は第２のアクセスポイント（ＡＰ２）から送信されたのかに基づいて、前記ＲＴＳ／ＣＴＳ送信に従ってＮＡＶ（Network  Allocation  Vector）を設定するか否かを決定する、
前記ＲＴＳ／ＣＴＳ送信が前記第２のステーション（ＳＴＡ２）から送信されたＲＴＳ送信であるか又は前記第２のアクセスポイント（ＡＰ２）から送信されたＣＴＳ送信である場合に、前記ＲＴＳ／ＣＴＳ送信に従ってＮＡＶを設定すると決定し、前記ＲＴＳ／ＣＴＳ送信が前記第２のアクセスポイント（ＡＰ２）から送信されたＲＴＳ送信であるか又は前記第２のステーション（ＳＴＡ２）から送信されたＣＴＳ送信である場合に、前記ＲＴＳ／ＣＴＳ送信に従ってＮＡＶを設定しないと決定する、ように構成される第１のアクセスポイント（ＡＰ１）。
【請求項１４】
前記第１のステーション（ＳＴＡ１）への別のＲＴＳ送信を送信することに応答して、
前記第１のステーション（ＳＴＡ１）からの別のＣＴＳ送信において、近傍のアップリンク送信の今後の発生を示す情報を受信し、受信された前記情報に基づいて、前記第１のステーション（ＳＴＡ１）への以降のデータ送信の１つ以上の送信パラメータを設定する、
ようにさらに構成される、請求項１３に記載の第１のアクセスポイント（ＡＰ１）。
【請求項１５】
前記第１のステーション（ＳＴＡ１）への別のＲＴＳ送信を送信することに応答して、
前記第１のステーション（ＳＴＡ１）からの別のＣＴＳ送信において、前記第１のアクセスポイント（ＡＰ１）が前記第１のステーション（ＳＴＡ１）へデータを送信可ではないことを示す情報を受信する、ようにさらに構成される、請求項１３に記載の第１のアクセスポイント（ＡＰ１）。
【請求項１６】
プロセッサ（１０１０）及びメモリ（１０２０）をさらに含み、前記メモリ（１０２０）は、前記プロセッサ（１０１０）により実行可能な命令を含む、請求項１３から１５のいずれかに記載の第１のアクセスポイント（ＡＰ１）。
【請求項１７】
少なくとも１つのプロセッサ（９１０；１０１０）上で実行されると、請求項１から４又は請求項１０から１２のいずれかに記載の前記方法を前記少なくとも１つのプロセッサ（９１０；１０１０）に遂行させる命令、を含むコンピュータプログラム。
【請求項１８】
請求項１７に記載の前記コンピュータプログラムを収容する、コンピュータ読取可能な記憶媒体。
【発明の詳細な説明】
【技術分野】
【０００１】
ここでの実施形態は、ワイヤレス通信ネットワークにおける送信に関する。具体的には、ここでの実施形態は、ワイヤレス通信ネットワークにおいてＲＴＳ（Request-to-Send）送信を扱うためのステーション、アクセスポイント、及びそれらにおける方法に関する。
【背景技術】
【０００２】
同じ周波数の競合ベースの送信リソースを用いるワイヤレス通信ネットワークの１つの例は、標準化されたＩＥＥＥ８０２．１１ワイヤレスＬＡＮ（ＷＬＡＮ）である。ここでは、基本サービスセット（ＢＳＳ）がワイヤレス通信ネットワークの基本的な構成要素であると見なされる。ＢＳＳは、アクセスポイント（ＡＰ）と、当該ＡＰによりサービスされるあるカバレッジエリア又はセル内に位置する複数のステーション（ＳＴＡ）とを含む。ＢＳＳ内で、ＡＰとＳＴＡとの間の送信は、典型的には、分散的なやり方で実行される。これは、送信前に、ＳＴＡがまず特定の時間ピリオドにわたって送信媒体のセンシング、例えばＣＣＡ（Clear  Channel  Assessment）を実行することを意味する。送信媒体がアイドルであると判断される場合、例えば受信信号電力が閾値を下回る場合、送信のためにそのＳＴＡにアクセスが割り当てられる。一方、送信媒体が占有されていると判断される場合、例えば受信信号電力が上記閾値を上回る場合、ＳＴＡは、典型的には、ランダムなバックオフピリオドだけ待機し、次いで送信媒体がアイドルであるか又は占有されているかを再度チェックしなければならない。例えば、現行の標準によれば、上記閾値は−８２ｄＢｍである。ランダムなバックオフピリオドは、同じＢＳＳ内で送信することを希望する複数のＳＴＡのための衝突回避の仕組みを提供する。このケースにおいて、上の競合ベースのチャネルアクセスは、一般的に、ＩＥＥＥ８０２．１１ＷＬＡＮ標準におけるＤＣＦ（distributed  coordination  function）として言及される。
【０００３】
しかしながら、多くのケースにおいて、例えば受信信号電力が低過ぎるなど、互いを検知しないＳＴＡ又はＡＰが依然として存在し、よってそれらはデータの送信を試行することになり、受信機での衝突が同時に引き起こされ、よってデータパケットが逸失する。一般的に隠れノード問題としても言及されるこのタイプの衝突を回避するために、ＲＴＳ（Request-to-Send）送信及びＣＴＳ（Clear-to-Send）送信を含む媒体アクセスプロトコルが、ＩＥＥＥ８０２．１１ＷＬＡＮ標準において提案されている。このＲＴＳ／ＣＴＳ媒体アクセスプロトコルが図１に示されている。
【０００４】
図１のＲＴＳ／ＣＴＳ媒体アクセスプロトコルによると、送信するデータを有している、ＢＳＳ内、例えば、ＳＴＡ又はＡＰ内の送信機（ＴＸ）は、まず、最初のタイムスロットにおいて、当該ＢＳＳ内、例えば、ＡＰ又はＳＴＡ内の当該データの対象の受信機（ＲＸ）へ、ＲＴＳメッセージを送信する。ＲＸは、ＲＴＳメッセージに応答して、以降のタイムスロットにおいて、ＣＴＳ（Clear-to-Send）メッセージをＴＸへ返信する。ＴＸは、ＣＴＳメッセージを受信すると、後続のタイムスロットにおいて、自身のデータをＲＸへ送信し得る。このデータ送信は、次いで、ＲＸにより肯定応答されてもよく、又は、肯定応答されなくてもよい。ＲＴＳ／ＣＴＳメッセージは、タイムスロットのＤＩＦＳ（Distributed  Inter-Frame  Space）又はＳＩＦＳ（Short  Inter-Frame  Space）の後に続いてもよい。ＴＸからのＲＴＳメッセージを受信し又は検知することのできる、ＢＳＳ内の全ての他のＳＴＡ又はＡＰは、自身のＮＡＶ（Network  Allocation  Vector）を設定することによって反応し、自身の送信を延期させる。このことは、ＲＴＳメッセージ内に符号化される時間長（duration）フィールドに基づいて実行されてよく、時間長フィールドは、どの程度の時間ＮＡＶが設定されるべきであるかについて指し示し得る。ＣＴＳメッセージもまた、ＮＡＶを設定するために同様のタイミング情報を含み、それにより、ＣＴＳメッセージを受信し又は検知したＢＳＳ内の全ての他のＳＴＡ又はＡＰは、同様の動作で反応することになる。図１への参照と共に上述したような、ＲＴＳ／ＣＴＳメッセージの交換の主な目的は、ＢＳＳにおける衝突を回避すること、即ち、複数のデータパケットが同じサブキャリア上で同じ受信機へ同時に向けられることを回避すること、である。
【０００５】
また、１つよりも多くのＢＳＳを含むワイヤレス通信ネットワークにおいて、衝突及び／又は干渉を、より一層回避するために、近隣の又は近傍のＢＳＳには異なる周波数、サブキャリア、又はチャネルを割り当てるべきである。しかしながら、高密度配備のシナリオにおいては、近隣の又は近傍のＢＳＳについてさえも、周波数又はチャネルが再利用される可能性がある。このケースでは、ＢＳＳ間で結果的に生じる衝突及び／又は同一チャネル干渉が、当該ＢＳＳによりＳＴＡに提供される性能又はサービス品質（ＱｏＳ）を損なうことが予想される。具体的には、ＢＳＳの、重複するカバレッジエリア内に位置するＳＴＡが、相対的に強い干渉によって、より重篤に影響を受け得る。ＩＥＥＥ８０２．１１ＷＬＡＮ標準において、このことは、一般的に、ＯＢＳＳ（Overlapping  Basic  Service  Set）を有するという形で言及される。
【０００６】
図１への参照と共に上述したようなＲＴＳ／ＣＴＳ媒体アクセスプロトコルは、有用ではあるが、ＢＳＳがＯＢＳＳの一部を成すケースでは、他のＢＳＳ内の他のＳＴＡ又はＡＰにも影響を及ぼす。ＯＢＳＳが高密度に又は近接して配置されている場合、これらの他のＳＴＡ又はＡＰは、互いに独立して作動されているにもかかわらず、やはり、ＢＳＳ内のＳＴＡ及びＡＰと同じ手法で自身のＮＡＶを設定する。
【０００７】
このような高密度の環境において、ＲＴＳ／ＣＴＳ媒体アクセスプロトコルは、ＯＢＳＳの他のＢＳＳ内の他のＳＴＡ及びＡＰについて問題を引き起こす恐れがある。ＴＸがＢＳＳ内のＲＸへＲＴＳメッセージを一旦送出すると、そのＲＴＳメッセージを受信し又は検知した近傍のＳＴＡ及びＡＰは、結果的に自身のＮＡＶを設定する。ＳＴＡ又はＡＰが、ＢＳＳ内には存在せず、但しＲＴＳ／ＣＴＳメッセージ交換を受信し又は検知するほど充分に近接している場合においてさえ、これが生じるであろう。ＲＴＳ／ＣＴＳメッセージは、通常、最も低い変調符号化方式（ＭＣＳ）を用いて送信される。
【０００８】
しかしながら、幾つかの状況においては、ＯＢＳＳ内の他のＳＴＡ又はＡＰからのデータ送信は、ＢＳＳ内でＣＴＳメッセージの後に続くデータ送信に干渉しない。よって、上記のやり方でこのようなデータ送信をブロックすることにより、特に高密度の配備環境において、ワイヤレス通信ネットワークの空間再利用のポテンシャルを減殺してしまう。
ＷＯ２０１５／０６６３４３は、ＴＸＯＰ（transmission  opportunity）情報に基づく延期のためのシステム、方法及びデバイスを説明している。例えば、説明されている装置は、共有ワイヤレスアクセス媒体上で送信されるパケットから延期関連パラメータを取得し、少なくとも１つの延期関連パラメータに少なくとも部分的に基づいて、共有ワイヤレスアクセス媒体上での送信を延期すべきかを判定する、ように構成される処理システムを含む。それ以上の送信は説明されていない。
【発明の概要】
【発明が解決しようとする課題】
【０００９】
ここでの実施形態の目的は、ワイヤレス通信ネットワークにおける送信を改善することである。
【課題を解決するための手段】
【００１０】
ここでの実施形態の第１の態様によると、この目的は、ワイヤレス通信ネットワークにおいてＲＴＳ／ＣＴＳ（Request-to-Send／Clear-to-Send）送信を扱うための、第１のステーションにより実行される方法であって、第１のステーションが、第１の基本サービスセット（ＢＳＳ）内の第１のアクセスポイントによりサービスされる、方法により達成される。第１のステーションは、第２のＢＳＳに関するＲＴＳ／ＣＴＳ送信を受信する。次いで、第１のステーションは、ＲＴＳ／ＣＴＳ送信が第２のＢＳＳ内の第２のステーションから送信されたのか又は第２のアクセスポイントから送信されたのかに基づいて、ＲＴＳ／ＣＴＳ送信に従ってＮＡＶ（Network  Allocation  Vector）を設定するか否かを決定する。
【００１１】
ここでの実施形態の第２の態様によると、この目的は、ワイヤレス通信ネットワークにおいてＲＴＳ／ＣＴＳ送信を扱うための第１のステーションであって、第１のステーションが、第１のＢＳＳ内の第１のアクセスポイントによりサービスされる、第１のステーションにより達成される。第１のステーションは、第２のＢＳＳに関するＲＴＳ／ＣＴＳ送信を受信するように構成される。第１のステーションは、ＲＴＳ／ＣＴＳ送信が第２のＢＳＳ内の第２のステーションから送信されたのか又は第２のアクセスポイントから送信されたのかに基づいて、ＲＴＳ／ＣＴＳ送信に従ってＮＡＶを設定するか否かを決定するようにも構成される。
【００１２】
ここでの実施形態の第３の態様によると、この目的は、ワイヤレス通信ネットワークにおいてＲＴＳ／ＣＴＳ送信を扱うための、第１のアクセスポイントにより実行される方法であって、第１のアクセスポイントが、第１のＢＳＳ内の少なくとも第１のステーションにサービスする、方法により達成される。第１のアクセスポイントは、第２のＢＳＳに関するＲＴＳ／ＣＴＳ送信を受信する。次いで、第１のアクセスポイントは、ＲＴＳ／ＣＴＳ送信が第２のＢＳＳ内の第２のステーションから送信されたのか又は第２のアクセスポイントから送信されたのかに基づいて、ＲＴＳ／ＣＴＳ送信に従ってＮＡＶを設定するか否かを決定する。
【００１３】
ここでの実施形態の第４の態様によると、この目的は、ワイヤレス通信ネットワークにおいてＲＴＳ／ＣＴＳ送信を扱うための第１のアクセスポイントであって、第１のアクセスポイントが、第１のＢＳＳ内の少なくとも第１のステーションにサービスする、第１のアクセスポイントにより達成される。第１のアクセスポイントは、第２のＢＳＳに関するＲＴＳ／ＣＴＳ送信を受信するように構成される。第１のアクセスポイントは、ＲＴＳ／ＣＴＳ送信が第２のＢＳＳ内の第２のステーションから送信されたのか又は第２のアクセスポイントから送信されたのかに基づいて、ＲＴＳ／ＣＴＳ送信に従ってＮＡＶを設定するか否かを決定するようにも構成される。
【００１４】
ここでの実施形態の第５の態様によると、この目的は、少なくとも１つのプロセッサ上で実行されると、上記の方法を当該少なくとも１つのプロセッサに遂行させる命令を含むコンピュータプログラムにより達成される。ここでの実施形態の第６の態様によると、この目的は、上記のコンピュータプログラムを収容する担体であって、当該担体が、電子信号、光信号、無線信号、又はコンピュータ読取可能な記憶媒体のうちの１つである、担体により達成される。
【発明の効果】
【００１５】
第１のステーション及び第１のアクセスポイントは、別のＢＳＳからのＲＴＳ／ＣＴＳ送信がステーションから送信されたのか又はアクセスポイントから送信されたのかに基づいて、即ち、ＲＴＳ／ＣＴＳ送信を送信している、他のＢＳＳ内の送信機のタイプに基づいて、自身のＮＡＶを設定するか否かを決定することにより、自身のデータ送信を他のＢＳＳ内のデータ送信と同期させることができる。これにより、第１のステーション及び第１のアクセスポイントは、従来ならば送信されないデータ送信を続行することが可能になる。その理由は、これらのデータ送信が、他のＢＳＳ内における、ＣＴＳメッセージの後に続くデータ送信に干渉しないことを、第１のステーション及び第１のアクセスポイントが知得するためである。よって、ワイヤレス通信ネットワークの空間再利用が増大され、このことは、システム容量の増大につながる。このことは、データパケット送信についてのレイテンシの低減と、システムスループットの増大とにもつながる。
【００１６】
したがって、ワイヤレス通信ネットワークにおける送信が改善される。
【図面の簡単な説明】
【００１７】
実施形態の特徴及び利点は、以下の図を含む添付の図面を参照した、その例示的な実施形態の以下の詳細な説明により、当業者にとっては容易に明らかになるであろう。
【００１８】
【図１】ワイヤレス通信ネットワークにおけるＲＴＳ／ＣＴＳ媒体アクセスプロトコルを示すシグナリング方式である。
【図２】ワイヤレス通信ネットワークにおけるネットワークノード及びワイヤレスデバイスの実施形態を示す概略ブロック図である。
【図３】ステーションにおける方法の実施形態を描くフローチャートである。
【図４】アクセスポイントにおける方法の実施形態を描くフローチャートである。
【図５】ステーション及びアクセスポイントの実施形態を示すシグナリング方式である。
【図６】ステーション及びアクセスポイントの実施形態を示す別のシグナリング方式である。
【図７】ステーション及びアクセスポイントの実施形態を示すさらなるシグナリング方式である。
【図８】ステーション及びアクセスポイントの実施形態を示すさらに別のシグナリング方式である。
【図９】ステーションの実施形態を描く概略ブロック図である。
【図１０】アクセスポイントの実施形態を描く概略ブロック図である。
【発明を実施するための形態】
【００１９】
これらの図は、明瞭にするために概略的であって簡略化されており、ここに提示される実施形態の理解に不可欠な詳細を示しているに過ぎず、その他の詳細は割愛されている。全体にわたり、同一の又は対応する部分又はステップについては同じ参照番号が使用される。
【００２０】
図２は、ここでの実施形態が実装され得るワイヤレス通信ネットワーク１００の一例を示す。図２に示されるワイヤレス通信ネットワーク１００は、例えば標準化されたＩＥＥＥ８０２．１１ＷＬＡＮといった、同じ周波数の競合ベースの送信リソースを用いる、いかなるワイヤレス通信ネットワークであってもよい。ワイヤレス通信ネットワーク１００は、第１のアクセスポイントＡＰ１及び第２のアクセスポイントＡＰ２を含み得る。第１のアクセスポイントＡＰ１及び第２のアクセスポイントＡＰ２は、自身のそれぞれのカバレッジエリア又はセル内に位置するステーション又はワイヤレス通信デバイスへサービスし得る。
【００２１】
図２に示される例示的なシナリオにおいて、第１のステーションＳＴＡ１は、第１のアクセスポイントＡＰ１のカバレッジエリア又はセル内に位置しており、第１のアクセスポイントＡＰ１によりサービスされている。また、第２のステーションＳＴＡ２は、第２のアクセスポイントＡＰ２のカバレッジエリア又はセル内に位置しており、第２のアクセスポイントＡＰ２によりサービスされている。第１のアクセスポイントＡＰ１及びステーションＳＴＡ１は、第１の基本サービスセット（ＢＳＳ１）を構成すると言われ得る一方で、第２のアクセスポイントＡＰ２及び第２のステーションＳＴＡ２は、第２の基本サービスセット（ＢＳＳ２）を構成すると言われ得る。基本サービスセットＢＳＳ１及びＢＳＳ２が、互いに部分的に重複しており、同じ周波数／チャネルを使用することから、一般的に、ＯＢＳＳ（Overlapping  Basic  Service  Set）として言及され得ることに留意されたい。
【００２２】
また留意すべきこととして、幾つかの実施形態によると、ワイヤレス通信ネットワーク１００は、同じ周波数の競合ベースの送信リソースを用いるセルラー通信システム又は無線通信システムであってもよい。例えば、いわゆる未ライセンススペクトルの一部において動作するセルラー通信システム又は無線通信システムであり、未ライセンススペクトルとは即ち、共有され、非集中化され、特定のタイプのスケジューリングされるワイヤレス通信又は無線通信にはライセンスされていない、未ライセンスの周波数帯域である。このようなワイヤレス通信システム又は無線通信システムの例には、ＬＴＥ、ＬＴＥアドバンスト、ＷＣＤＭＡ（Wideband  Code-Division  Multiple  Access）、ＧＳＭ／ＥＤＧＥ（Global  System  for  Mobile  communications/Enhanced  Data  rate  for  GSM  Evolution）、ＷｉＭａｘ（Worldwide  Interoperability  for  Microwave  Access）、ＵＭＢ（Ultra  Mobile  Broadband）ネットワーク若しくはＧＳＭネットワーク、又は、他のセルラーネットワーク若しくはシステム、が含まれ得る。これらの実施形態において、第１のアクセスポイントＡＰ１及び第２のアクセスポイントＡＰ２は、例えば、ｅＮＢ、ｅＮｏｄｅＢ、又は、ホームノードＢ、ホームｅＮｏｄｅＢ、フェムト基地局（ＢＳ）、ピコＢＳ、若しくはワイヤレス通信ネットワーク１００内のワイヤレスデバイスにサービスすることが可能ないかなる他のネットワークユニットであってもよい。第１のアクセスポイントＡＰ１及び第２のアクセスポイントＡＰ２は、例えば、無線基地局、基地局コントローラ、ネットワークコントローラ、リレーノード、リピータ、ＵＤＮ／ＳＤＮ（Ultra-Dense  Network/Software-Defined  Network）無線アクセスノード、ＲＲＵ（Remote  Radio  Unit）、又はＲＲＨ（Remote  Radio  Head）であってもよい。
【００２３】
また、幾つかの実施形態において、第１のステーションＳＴＡ１及び第２のステーションＳＴＡ２は、例えば、モバイルフォン、セルラーフォン、パーソナルデジタルアシスタント（ＰＤＡ）、スマートフォン、タブレット、ワイヤレス通信ケイパビリティを有するセンサ若しくはアクチュエータ、ワイヤレスデバイスに接続されるか若しくはワイヤレスデバイスが装備されたセンサ若しくはアクチュエータ、マシンデバイス（ＭＤ）、マシンタイプ通信（ＭＴＣ）デバイス、マシンツーマシン（Ｍ２Ｍ）通信デバイス、Ｄ２Ｄケイパビリティ、Ｄ２Ｄケイパビリティを有するワイヤレスデバイス、顧客構内機器（ＣＰＥ）、ラップトップ搭載型機器（ＬＭＥ）、ラップトップ内蔵型機器（ＬＥＥ）などといった、いかなる種類のワイヤレスデバイスであってもよい。
【００２４】
また、図４を参照して以下の実施形態が説明されているが、これは、ここでの実施形態への限定として解釈されるべきではなく、むしろ、例示的な目的のために成された単なる一例として解釈されるべきである。
【００２５】
ここでの実施形態を検討する一環として、別のＢＳＳからの全てのＲＴＳ／ＣＴＳ送信を単に無視することが、隠れノード問題に対する特に有利な解決策にはならないことが認識された。例えば、図２におけるＢＳＳ１及びＢＳＳ２といった２つの重複するＢＳＳが、同じ周波数の競合ベースの送信リソースを用いて互いに近接して動作する場合に、重複するカバレッジエリア内の、アップリンク（ＵＬ）上で送信しているステーション（例えば、図２における点線矢印によって示されるようなＳＴＡ２）によって生じる、当該重複するエリア内の、ダウンリンク（ＤＬ）上で受信している、近接して位置する別のステーション（例えば、図２における実線矢印によって示されるようなＳＴＡ１）に対する干渉が、あまりにも大きくなり得るため、この干渉が、受信ステーションについてのデータパケットの逸失を生じる。
【００２６】
ここに記載される実施形態によると、この課題は、２つの近隣のＢＳＳ内でＵＬ送信及びＤＬ送信が同時に生じ得ないようにＵＬ送信及びＤＬ送信を同期させることによって対処される。ＵＬ送信及びＤＬ送信を同期させるために、ここでは、改良されたＲＴＳ／ＣＴＳ手続きを提案する。
【００２７】
換言すると、ＢＳＳ１内の第１のステーションＳＴＡ１及び第１のアクセスポイントＡＰ１は、ＢＳＳ２からのＲＴＳ／ＣＴＳ送信が第２のステーションＳＴＡ２から送信されたのか又は第２のアクセスポイントＡＰ２から送信されたのかに基づいて、第１のステーションＳＴＡ１及び第１のアクセスポイントＡＰ１においてＮＡＶを設定するか否かを決定することにより、ＢＳＳ１内の自身のデータ送信を、ＢＳＳ２内で生じるデータ送信と同期させることができる。これにより、第１のステーションＳＴＡ１及び第１のアクセスポイントＡＰ１は、従来ならば送信されないデータ送信を続行することが可能になる。その理由は、これらのデータ送信が、ＢＳＳ２内における、ＣＴＳメッセージの後に続くデータ送信に干渉しないことを、第１のステーションＳＴＡ１及び第１のアクセスポイントＡＰ１が知得するためである。したがって、ワイヤレス通信ネットワーク１００における送信が改善される。
【００２８】
次に、図３に描かれるフローチャートを参照して、ワイヤレス通信ネットワーク１００においてＲＴＳ／ＣＴＳ（Request-to-Send／Clear-to-Send）送信を扱うための、第１のステーションＳＴＡ１により実行される方法の実施形態の例について説明する。第１のステーションＳＴＡ１は、第１の基本サービスセットＢＳＳ１内の第１のアクセスポイントＡＰ１によりサービスされる。図３は、第１のステーションＳＴＡ１が取り得るアクション又は動作の一例を示す。この方法は、以下のアクションを含む。
【００２９】
アクション３０１
第１のステーションＳＴＡ１は、第２の基本サービスセットＢＳＳ２に関するＲＴＳ／ＣＴＳ送信を受信する。例えば、図１のシナリオにおいて、このことは、例えば、第１の基本サービスセットＢＳＳ１及び第２の基本サービスセットＢＳＳ２の重複するカバレッジ内に位置し得る、第１の基本サービスセットＢＳＳ１内の第１のステーションＳＴＡ１が、例えば、第２のステーションＳＴＡ２から第２のアクセスポイントＡＰ２へ、又は、第２のアクセスポイントＡＰ２から第２のステーションＳＴＡ２へ、のいずれかにおける、第２の基本サービスセットＢＳＳ２内におけるＲＴＳ／ＣＴＳ送信を検知し／受信するほど充分に近接していることを意味する。
【００３０】
ＲＴＳ／ＣＴＳ送信が第２の基本サービスセットＢＳＳ２に実際に関するということを第１のステーションＳＴＡ１が識別することを可能にする、様々な手法が存在する。幾つかの実施形態においては、ＲＴＳ／ＣＴＳ送信において、ＲＴＳ送信がどのＢＳＳに属するのかを識別するために、８０２．１１ａｈタスクグループによりＩＥＥＥ８０２．１１ＷＬＡＮ標準に導入されたカラービット（color  bit）が使用されてもよい。例えば、カラービットは、ワイヤレス通信ネットワーク１００内の各ＢＳＳに割り当てられ得る。次いで、第１のステーションＳＴＡ１は、ＲＴＳ送信を受信すると、ＲＴＳ／ＣＴＳ送信が、それ自身のＢＳＳ内、即ち第１の基本サービスセットＢＳＳ１内にあるのか、又は別のＢＳＳ、例えば、第２の基本サービスセットＢＳＳ２内にあるのかを決定するために、このＲＴＳ／ＣＴＳ送信信号内のＰＨＹプリアンブル内のカラービットをチェックしてもよい。
【００３１】
代替的に、幾つかの実施形態においては、ＩＥＥＥ  ＷＬＡＮ８０２．１１ａｃ−２０１３標準におけるセクション２２．３．８．３．３に定義されている通りの、ＲＴＳ／ＣＴＳ送信信号のＶＨＴプリアンブルのＳＩＧ  Ａ１フィールドから、第１のステーションＳＴＡ１によってＰＡＩＤ（Partial  ID）フィールドが読み出されてもよい。第１のステーションＳＴＡ１は、このＰＡＩＤフィールドの値に基づき、ＢＳＳ−ＩＤのビット部分を計算し得る。次いで、第１のステーションＳＴＡ１は、計算されたＢＳＳ−ＩＤの、このビット部分を、それ自身のＢＳＳ−ＩＤ値と比較して、ＲＴＳ／ＣＴＳ送信がそれ自身のＢＳＳ、即ち第１の基本サービスセットＢＳＳ１に属するのか、又は、別のＢＳＳ、例えば第２の基本サービスセットＢＳＳ２に属するのかを割り出してもよい。
【００３２】
アクション３０２
第１のステーションＳＴＡ１は、アクション３０１において説明したように第１のＲＴＳ／ＣＴＳ送信を受信した後に、当該ＲＴＳ／ＣＴＳ送信が第２の基本サービスセットＢＳＳ２内の第２のステーションＳＴＡ２から送信されたのか又は第２のアクセスポイントＡＰ２から送信されたのかに基づいて、当該ＲＴＳ／ＣＴＳ送信に従ってＮＡＶ（Network  Allocation  Vector）を設定するか否かを決定する。このことは、第１のステーションＳＴＡ１が、第２の基本サービスセットＢＳＳ２内の、ＲＴＳ／ＣＴＳ送信を送信している送信機のタイプに基づいて、即ち、第１のＲＴＳ送信が第２のステーションＳＴＡ２から第２のアクセスポイントＡＰ２へ送信されたのか又は第２のアクセスポイントＡＰ２から第２のステーションＳＴＡ２へ送信されたのかに基づいて、自身のＮＡＶを設定することができることを意味する。そのようにして、第１のステーションＳＴＡ１は、例えば、同一チャネル干渉によるデータパケット逸失が低減されるか又は緩和されるように、第１の基本サービスセットＢＳＳ１内の自身の送信を、第２の基本サービスセットＢＳＳ２内の送信と同期させることができる。
【００３３】
基本サービスセットＢＳＳ２といった別の基本サービスセットからの受信されたＲＴＳ／ＣＴＳ送信が、ステーションＳＴＡ、例えば第２のステーションＳＴＡ２から発せられたのか、又は、アクセスポイントＡＰ、例えば第２のアクセスポイントＡＰ２から発せられたのかを第１のステーションＳＴＡ１が区別することを可能にする、様々な手法が存在する。
【００３４】
幾つかの実施形態において、第１のステーションＳＴＡ１は、ＩＥＥＥ  ＷＬＡＮ８０２．１１ａｃ標準におけるセクション２２．３．８．２．３に定義されているように、ＲＴＳ／ＣＴＳ送信のＶＨＴプリアンブルのＳＩＧ  Ａ１フィールドからＰＡＩＤ（Partial  ID）フィールドを読み出してもよい。この理由は、第２のステーションＳＴＡ２が基本サービスセットＢＳＳ２内の第２のアクセスポイントＡＰ２へ送信する場合には、ＰＡＩＤフィールドの値が、第２のアクセスポイントＡＰ２のＢＳＳ−ＩＤのビット部分を含み、これとは反対に、第２のアクセスポイントＡＰ２が基本サービスセットＢＳＳ２内の第２のステーションＳＴＡ２へ送信する場合には、ＰＡＩＤフィールドの値が、第２のステーションＳＴＡ２のＡＩＤ（association  identity）と第２のアクセスポイントＡＰ２のＢＳＳ−ＩＤとの組み合わせであるためである。このようにして、第１のステーションＳＴＡ１は、ＰＡＩＤフィールドの値から、ＲＴＳ／ＣＴＳ送信が他の基本サービスセット内のステーションから発せられたのか又はアクセスポイントから発せられたのかを決定し得る。また、幾つかの実施形態において、第１のＳＴＡ１は、ワイヤレス通信ネットワーク１００内の様々なＡＰから送信される周期的なビーコンをリッスンすることにより、ワイヤレス通信ネットワーク１００内に存在するＢＳＳ−ＩＤのリストを作成してもよい。よって、１つの例によると、第１のＳＴＡ１がＲＴＳ／ＣＴＳ送信のＰＡＩＤフィールドの値を読み出す場合、当該第１のＳＴＡ１は、以下の式１〜式２を用いることにより、ＲＴＳ／ＣＴＳ送信を発した送信機のタイプ、即ち、ＡＰ又はＳＴＡの識別を実行し得る。
【００３５】
【数１】
0006514368.tif 000002
【００３６】
ここで、ＬＳＳＳＩＤは、生起するＢＳＳ−ＩＤの、ビット部分のリストであり得る。
【００３７】
幾つかの実施形態において、ＲＴＳ／ＣＴＳ送信を発した送信機のタイプは、ＲＴＳ／ＣＴＳ送信のＶＨＴプリアンブルのＳＩＧ  Ａ１フィールド内において利用可能なＧＲＯＵＰ−ＩＤフィールドを読み出すことによって検出されてもよい。その理由は、第２のステーションＳＴＡ２が基本サービスセットＢＳＳ２内の第２のアクセスポイントＡＰ２へ送信する場合には、ＧＲＯＵＰ  ＩＤが“０”に設定され、第２のアクセスポイントＡＰ２が基本サービスセットＢＳＳ２内の第２のステーションＳＴＡ２へ送信する場合には、“６３”に設定されるためである。このようにして、第１のステーションＳＴＡ１は、ＧＲＯＵＰ  ＩＤフィールドの値から、ＲＴＳ／ＣＴＳ送信が他の基本サービスセット内のステーションから発せられたのか又はアクセスポイントから発せられたのかを決定してもよい。
【００３８】
また留意すべきこととして、例えば、今日の標準において利用可能な他のデータフィールド、又は、標準の今後のリリース若しくはバージョンにおいて利用可能にされるであろう他のデータフィールドを使用し及び読み出すことにより、ＲＴＳ／ＣＴＳ送信を発する送信機のタイプを決定する他の手法が想定されてもよい。
【００３９】
幾つかの実施形態において、ＲＴＳ／ＣＴＳ送信が第２のステーションＳＴＡ２から送信されたＲＴＳ送信であり又は第２のアクセスポイントＡＰ２から送信されたＣＴＳ送信である場合に、第１のステーションＳＴＡ１は、ＲＴＳ／ＣＴＳ送信に従ってＮＡＶを設定しないと決定してもよい。このケースにおいて、幾つかの実施形態によると、ＲＴＳ／ＣＴＳ送信が第２のアクセスポイントＡＰ２から送信されたＲＴＳ送信であり又は第２のステーションＳＴＡ２から送信されたＣＴＳ送信である場合に、第１のステーションＳＴＡ１は、ＲＴＳ／ＣＴＳ送信に従ってＮＡＶを設定すると決定してもよい。このシナリオについては、以下の図５〜図６に関してさらに例示して論じる。
【００４０】
幾つかの実施形態において、ＲＴＳ／ＣＴＳ送信が第２のステーションＳＴＡ２から送信されたＲＴＳ送信であり且つＲＴＳ送信の測定される信号電力が第１の決定される閾値を下回る場合、又は、ＲＴＳ／ＣＴＳ送信が第２のアクセスポイントＡＰ２から送信されたＣＴＳ送信である場合に、第１のステーションＳＴＡ１は、ＲＴＳ／ＣＴＳ送信に従ってＮＡＶを設定しないと決定してもよい。このケースにおいて、幾つかの実施形態によると、第２のステーションＳＴＡ２からのＲＴＳ送信の測定される信号電力が第１の決定される閾値を上回る場合に、第１のステーションＳＴＡ１は、ＲＴＳ送信に従ってＮＡＶを設定しないと決定し、第１のアクセスポイントＡＰ１からの別のＲＴＳ送信を受信することに応答して、第１のアクセスポイントＡＰ１への別のＣＴＳ送信において、近傍のアップリンク送信の今後の発生を示す情報を送信する、こともあり得る。代替的に、幾つかの実施形態において、第２のステーションＳＴＡ２からのＲＴＳ送信の測定される信号電力が第１の決定される閾値を上回る場合に、第１のステーションＳＴＡ１は、ＲＴＳ送信に従ってＮＡＶを設定しないと決定し、第１のアクセスポイントＡＰ１からの別のＲＴＳ送信を受信することに応答して、第１のアクセスポイントＡＰ１への別のＣＴＳ送信において、第１のアクセスポイントＡＰ１が第１のステーションＳＴＡ１へデータを送信可ではないことを示す情報を送信してもよい。さらに別の代替例によると、幾つかの実施形態において、第２のステーションＳＴＡ２からのＲＴＳ送信の測定される信号電力が第１の決定される閾値を上回る場合に、第１のステーションＳＴＡ１は、第２のステーションＳＴＡ２からのＲＴＳ送信によって示される時間ピリオドにわたり、第１のアクセスポイントＡＰ１からのいかなる受信されるＲＴＳ送信をも無視してもよい。これらの様々なシナリオについては、以下の図７に関してさらに例示して論じる。
【００４１】
幾つかの実施形態において、ＲＴＳ／ＣＴＳ送信が第２のアクセスポイントＡＰ２から送信されたＲＴＳ送信である場合、又は、ＲＴＳ／ＣＴＳ送信が第２のステーションＳＴＡ２から送信されたＣＴＳ送信であり且つＣＴＳ送信の測定される信号電力が第２の決定される閾値を下回る場合に、第１のステーションＳＴＡ１は、ＲＴＳ／ＣＴＳ送信に従ってＮＡＶを設定しないと決定してもよい。このケースにおいて、幾つかの実施形態によると、ＲＴＳ／ＣＴＳ送信が第２のステーションＳＴＡ２から送信されたＣＴＳ送信であり且つＣＴＳ送信の測定される信号電力が第２の決定される閾値を上回る場合に、第１のステーションＳＴＡ１は、ＲＴＳ／ＣＴＳ送信に従ってＮＡＶを設定すると決定してもよい。これらの様々なシナリオについては、以下の図８に関してさらに例示して論じる。
【００４２】
次に、図４に描かれるフローチャートを参照して、ワイヤレス通信ネットワーク１００においてＲＴＳ／ＣＴＳ（Request-to-Send／Clear-to-Send）送信を扱うための、第１のアクセスポイントＡＰ１により実行される方法の実施形態の例について説明する。第１のアクセスポイントＡＰ１は、第１の基本サービスセットＢＳＳ１内の少なくとも第１のステーションＳＴＡ１にサービスする。図４は、第１のアクセスポイントＡＰ１が取り得るアクション又は動作の一例を示す。この方法は、以下のアクションを含む。
【００４３】
アクション４０１
第１のアクセスポイントＡＰ１は、第２の基本サービスセットＢＳＳ２に関するＲＴＳ／ＣＴＳ送信を受信する。例えば、図１のシナリオにおいて、このことは、第１の基本サービスセットＢＳＳ１内の第１のアクセスポイントＡＰ１が、例えば、第２のステーションＳＴＡ２から第２のアクセスポイントＡＰ２へ、又は第２のアクセスポイントＡＰ２から第２のステーションＳＴＡ２へ、のいずれかにおける、第２の基本サービスセットＢＳＳ２内におけるＲＴＳ／ＣＴＳ送信を検知し又は受信するほど充分に近接していることを意味する。
【００４４】
第１のステーションＳＴＡ１についてのアクション３０１において上で説明したような、ＲＴＳ／ＣＴＳ送信が第２の基本サービスセットＢＳＳ２に実際に関するということを第１のアクセスポイントＡＰ１が識別することを可能にする同様の手法が、第１のアクセスポイントＡＰ１において実装されてよい。
【００４５】
アクション４０２
第１のアクセスポイントＡＰ１は、アクション４０１において説明したようにＲＴＳ／ＣＴＳ送信を受信した後に、当該ＲＴＳ／ＣＴＳ送信が第２の基本サービスセットＢＳＳ２内の第２のステーションＳＴＡ２から送信されたのか又は第２のアクセスポイントＡＰ２から送信されたのかに基づいて、当該ＲＴＳ／ＣＴＳ送信に従ってＮＡＶ（Network  Allocation  Vector）を設定するか否かを決定する。このことは、第１のアクセスポイントＡＰ１が、第２の基本サービスセットＢＳＳ２内の、ＲＴＳ／ＣＴＳ送信を送信している送信機のタイプに基づいて、即ち、ＲＴＳ／ＣＴＳ送信が第２のステーションＳＴＡ２から第２のアクセスポイントＡＰ２へ送信されたのか又は第２のアクセスポイントＡＰ２から第２のステーションＳＴＡ２へ送信されたのかに基づいて、自身のＮＡＶを設定することができることを意味する。よって、第１のアクセスポイントＡＰ１は、例えば、同一チャネル干渉によるデータパケット逸失が低減されるか又は緩和されるように、第１の基本サービスセットＢＳＳ１内の自身の送信を、第２の基本サービスセットＢＳＳ２内の送信と同期させることができる。
【００４６】
第１のステーションＳＴＡ１についてアクション３０２において上で説明したような、別の基本サービスセットからの受信されたＲＴＳ／ＣＴＳ送信がステーションＳＴＡから発せられたのか又はアクセスポイントＡＰから発せられたのかを第１のアクセスポイントＡＰ１が区別することを可能にする同様の手法が、第１のアクセスポイントＡＰ１において実装されてよい。
【００４７】
幾つかの実施形態において、ＲＴＳ／ＣＴＳ送信が第２のステーションＳＴＡ２から送信されたＲＴＳ送信であり又は第２のアクセスポイントＡＰ２から送信されたＣＴＳ送信である場合に、第１のアクセスポイントＡＰ１は、ＲＴＳ／ＣＴＳ送信に従ってＮＡＶを設定すると決定してもよい。このケースにおいて、幾つかの実施形態によると、ＲＴＳ／ＣＴＳ送信が第２のアクセスポイントＡＰ２から送信されたＲＴＳ送信であり又は第２のステーションＳＴＡ２から送信されたＣＴＳ送信である場合に、第１のアクセスポイントＡＰ１は、ＲＴＳ／ＣＴＳ送信に従ってＮＡＶを設定しないと決定してもよい。このシナリオについては、以下の図５〜図６に関してさらに例示して論じる。
【００４８】
幾つかの実施形態において、第１のアクセスポイントＡＰ１は、ＲＴＳ／ＣＴＳ送信に従ってＮＡＶを設定しないと決定するものの、第１のステーションＳＴＡ１への別のＲＴＳ送信を送信することに応答して、第１のステーションＳＴＡ１からの別のＣＴＳ送信において、近傍のアップリンク送信の今後の発生を示す情報を受信してもよい。このケースにおいて、幾つかの実施形態によると、第１のアクセスポイントＡＰ１は、受信された情報に基づいて、第１のステーションＳＴＡ１への以降のデータ送信の１つ以上の送信パラメータを設定してもよい。
【００４９】
代替的に、幾つかの実施形態において、第１のアクセスポイントＡＰ１は、ＲＴＳ／ＣＴＳ送信に従ってＮＡＶを設定しないと決定するものの、第１のステーションＳＴＡ１への別のＲＴＳ送信を送信することに応答して、第１のステーションＳＴＡ１からの別のＣＴＳ送信において、第１のアクセスポイントＡＰ１が第１のステーションＳＴＡ１へデータを送信可（clear  to  send）ではないことを示す情報を受信してもよい。このケースにおいて、幾つかの実施形態によると、第１のアクセスポイントＡＰ１は、ＣＴＳ送信に従って自身のデータ送信を延期すると決定してもよい。これらの様々なシナリオについては、以下の図７に関してさらに例示して論じる。
【００５０】
図５〜図６は、第１のステーションＳＴＡ１及び第１のアクセスポイントＡＰ１の幾つかの実施形態による、様々なシナリオにおけるシグナリング方式の例を示す。
【００５１】
図５のシナリオにおいて、第２のステーションＳＴＡ２は、第２の基本サービスセットＢＳＳ２内の第２のアクセスポイントＡＰ２へ送信するデータを有する。よって、第２のステーションＳＴＡ２は、ＩＥＥＥ８０２．１１ＷＬＡＮ標準のＲＴＳ／ＣＴＳ媒体アクセスプロトコルに従って第２のアクセスポイントＡＰ２へ、ＲＴＳメッセージを送信すること、即ち、ＲＴＳ送信を実行すること、により始動する。このケースにおいて、第１の基本サービスセットＢＳＳ１内の第１のステーションＳＴＡ１及び第１のアクセスポイントＡＰ１のいずれか一方又は両方は、第２の基本サービスセットＢＳＳ２内の第２のステーションＳＴＡ２から第２のアクセスポイントＡＰ２へのＲＴＳ送信を検知し／受信し得る。このことは、図５における破線矢印によって示されている。
【００５２】
第１のステーションＳＴＡ１が第２の基本サービスセットＢＳＳ２内の第２のステーションＳＴＡ２からのＲＴＳ送信を検知し／受信する場合、第１のステーションＳＴＡ１は、ＲＴＳ送信を無視してもよく、即ち、ＲＴＳ送信に従ってＮＡＶを設定しないと決定してもよい。しかしながら、第１のアクセスポイントＡＰ１が第２の基本サービスセットＢＳＳ２内の第２のステーションＳＴＡ２からのＲＴＳ送信を検知し／受信する場合、第１のアクセスポイントＡＰ１は、ＲＴＳ送信に従って自身のＮＡＶを設定し得る。したがって、第１のアクセスポイントから第１のステーションＳＴＡ１へのＤＬ送信は何ら実行されず、一方、第２のステーションＳＴＡ２から第２のアクセスポイントＡＰ２へのＵＬ送信は実行される。したがって、これらのＵＬ送信及びＤＬ送信は同期される。ここでは、同じ原理が、第２のアクセスポイントＡＰ２からの、以前に受信されたＲＴＳ送信に関連付けられる以降のＣＴＳ送信を受信すること（図５における一点鎖線矢印によって示されている）に応答して、やはり、第１のステーションＳＴＡ１及び第１のアクセスポイントＡＰ１によって適用される。
【００５３】
図６のシナリオにおいて、第２のアクセスポイントＡＰ２は、第２の基本サービスセットＢＳＳ２内の第２のステーションＳＴＡ２へ送信するデータを有する。よって、第２のアクセスポイントＡＰ２は、ＩＥＥＥ８０２．１１ＷＬＡＮ標準のＲＴＳ／ＣＴＳ媒体アクセスプロトコルに従って第２のステーションＳＴＡ２へ、ＲＴＳメッセージを送信すること、即ち、ＲＴＳ送信を実行すること、により始動する。このケースにおいて、第１の基本サービスセットＢＳＳ１内の第１のステーションＳＴＡ１及び第１のアクセスポイントＡＰ１のいずれか一方又は両方は、第２の基本サービスセットＢＳＳ２内の第２のアクセスポイントＡＰ２から第２のステーションＳＴＡ２へのＲＴＳ送信を検知し／受信し得る。このことは、図６における破線矢印によって示されている。
【００５４】
第１のステーションＳＴＡ１が第２の基本サービスセットＢＳＳ２内の第２のアクセスポイントＡＰ２からのＲＴＳ送信を検知し／受信する場合、第１のステーションＳＴＡ１は、ＲＴＳ送信に従って自身のＮＡＶを設定し得る。しかしながら、第１のアクセスポイントＡＰ１が第２の基本サービスセットＢＳＳ２内の第２のアクセスポイントＡＰ２からのＲＴＳ送信を検知し／受信する場合、第１のアクセスポイントＡＰ１は、ＲＴＳ送信を無視してもよく、即ち、ＲＴＳ送信に従ってＮＡＶを設定しないと決定してもよい。したがって、第１のステーションＳＴＡ１から第１のアクセスポイントＡＰ１へのＵＬ送信は何ら実行されず、一方、第２のアクセスポイントＡＰ２から第２のステーションＳＴＡ２へのＤＬ送信は実行される。したがって、これらのＵＬ送信及びＤＬ送信は同期される。ここでは、同じ原理が、第２のステーションＳＴＡ２からの、以前に受信されたＲＴＳ送信に関連付けられる以降のＣＴＳ送信を受信すること（図６における一点鎖線矢印によって示されている）に応答して、やはり、第１のステーションＳＴＡ１及び第１のアクセスポイントＡＰ１によって適用される。
【００５５】
第１のステーションＳＴＡ１及び第１のアクセスポイントＡＰ１についての、図５〜図６における上記の手続きは、以下のテーブル１に要約される。テーブル１は、近隣のＢＳＳ（ＯＢＳＳ）、例えばＢＢＳ２からＲＴＳ／ＣＴＳ送信を受信した後の、第１のステーションＳＴＡ１及び第１のアクセスポイントＡＰ１についてのタイプに基づくルールを示す。
【００５６】
【表１】
0006514368.tif 000003
【００５７】
図７〜図８は、第１のステーションＳＴＡ１及び第１のアクセスポイントＡＰ１の幾つかの実施形態による、様々なシナリオにおけるシグナリング方式のさらなる例を示す。
【００５８】
図７のシナリオにおいて、第２のステーションＳＴＡ２は、第２の基本サービスセットＢＳＳ２内の第２のアクセスポイントＡＰ２へ送信するデータを有する。よって、第２のステーションＳＴＡ２は、ＩＥＥＥ８０２．１１ＷＬＡＮ標準のＲＴＳ／ＣＴＳ媒体アクセスプロトコルに従って第２のアクセスポイントＡＰ２へ、ＲＴＳメッセージを送信すること、即ち、ＲＴＳ送信を実行すること、により始動する。このケースにおいて、第１の基本サービスセットＢＳＳ１内の第１のステーションＳＴＡ１及び第１のアクセスポイントＡＰ１のいずれか一方又は両方は、第２の基本サービスセットＢＳＳ２内の第２のステーションＳＴＡ２から第２のアクセスポイントＡＰ２へのＲＴＳ送信を検知し／受信し得る。このことは、図７における破線矢印によって示されている。
【００５９】
第１のステーションＳＴＡ１が第２の基本サービスセットＢＳＳ２内の第２のステーションＳＴＡ２からのＲＴＳ送信を検知し／受信するものの、ＲＴＳ送信の受信信号強度又は受信信号電力が、第１のステーションＳＴＡ１における第１の決定される閾値を下回る場合、第１のステーションＳＴＡ１は、ＲＴＳ送信を無視してもよく、即ち、ＲＴＳ送信に従ってＮＡＶを設定しないと決定してもよい。この手続きは、図７における破線エリア７０１によって示されている。このことは有利である。その理由は、当該受信信号強度又は受信信号電力が、第２のステーションＳＴＡ２からの送信によって生じる、第１のステーションＳＴＡ１において受信されるいかなる送信に対する干渉も小さく又は有意ではないことを示しており、それにより、第１のステーションＳＴＡ１が、有意なデータパケット逸失のリスクなしに同時のＤＬ受信を実行し得るという理由から、ＲＴＳ送信を無視する利益を得るためである。
【００６０】
その一方で、第１のステーションＳＴＡ１が第２の基本サービスセットＢＳＳ２内の第２のステーションＳＴＡ２からのＲＴＳ送信を検知／受信し、且つ、ＲＴＳ送信の受信信号強度又は受信信号電力が、第１のステーションＳＴＡ１における決定される閾値を上回る場合、第１のステーションＳＴＡ１は、ＲＴＳ送信が受信されたことに留意し、第２のＲＴＳ送信、即ち、図７におけるＲＴＳ２が、第１のアクセスポイントＡＰ１から以降に受信されるケースにおいて以下のオプションのうちのいずれかを実行してよい。
−  第２のＲＴＳ送信ＲＴＳ２に応答して、ＣＴＳ送信、即ち、図７におけるＣＴＳ２を、第１のアクセスポイントＡＰ１へ送信する。当該ＣＴＳ２には、第１のステーションＳＴＡ１が第２の基本サービスセットＢＳＳ２内の第２のステーションＳＴＡ２から第１のＲＴＳ送信を受信したという警告が、第１のステーションＳＴＡ１によって含められる。このケースにおいて、第１のアクセスポイントＡＰ１は、次いで、この警告に基づき、第１のステーションＳＴＡ１への自身のデータ送信のために、よりロバストなＭＣＳを選択すべきか、又は、第１のステーションＳＴＡ１へのデータ送信を延期すべきか、を決定し得る。
−  第２のＲＴＳ送信ＲＴＳ２に応答して第１のアクセスポイントＡＰ１へ、否定ＣＴＳ送信、即ち、図７における否定ＣＴＳ２を送信する。この手法で、第１のステーションＳＴＡ１は、第１のアクセスポイントＡＰ１が第１のステーションＳＴＡ１へどのようなデータをも送信すべきではないことを、第１のアクセスポイントＡＰ１に通知し得る。又は、
−  第１のアクセスポイントＡＰ１からの第２のＲＴＳ送信ＲＴＳ２を無視する。
【００６１】
第１のアクセスポイントＡＰ１が、第１のステーションＳＴＡ１への自身のデータ送信のために、よりロバストなＭＣＳを選択するケースにおいて、第１のアクセスポイントＡＰ１は、次いで、よりロバストなこのＭＣＳを使用して、第１のステーションＳＴＡ１へデータを送信してもよい。
【００６２】
図７の破線エリア７０２により、上記の様々な手続きが示されている。これらは有利である。その理由は、第１のステーションＳＴＡ１が別のＢＳＳからＲＴＳ送信を受信したこと、及び、第１のステーションＳＴＡ１へのＤＬ送信が、同一チャネル干渉を被る恐れがあること、の通知を第１のアクセスポイントが受けることが、当該手続きによって可能になるためであり、このケースにおいて、第１のアクセスポイントＡＰ１は、第１のステーションＳＴＡ１への自身のデータ送信のロバスト性を増大させるオプションを有している。代替的に、第１のアクセスポイントＡＰ１は、第１のステーションＳＴＡ１へのＤＬ送信の実行を止められる。
【００６３】
ここで、第１のアクセスポイントＡＰ１もまた、第２の基本サービスセットＢＳＳ２内の第２のステーションＳＴＡ２からのＲＴＳ送信を検知し／受信する場合、第１のアクセスポイントＡＰ１は、ＲＴＳ送信を無視してもよく、即ち、ＲＴＳ送信に従ってＮＡＶを設定しないと決定してもよい。第２のアクセスポイントＡＰ２からの、以前に受信されたＲＴＳ送信に関連付けられる以降のＣＴＳ送信を受信すること（図５における一点鎖線矢印によって示されている）に応答して、第１のステーションＳＴＡ１及び第１のアクセスポイントＡＰ１は、ここでもまた、ＣＴＳ送信を無視してもよく、即ち、ＣＴＳ送信に従ってＮＡＶを設定しないと決定してもよい。
【００６４】
図８のシナリオにおいて、第２のアクセスポイントＡＰ２は、第２の基本サービスセットＢＳＳ２内の第２のステーションＳＴＡ２へ送信するデータを有する。よって、第２のアクセスポイントＡＰ２は、ＩＥＥＥ８０２．１１ＷＬＡＮ標準のＲＴＳ／ＣＴＳ媒体アクセスプロトコルに従って第２のステーションＳＴＡ２へ、ＲＴＳメッセージを送信すること、即ち、ＲＴＳ送信を実行すること、により始動する。このケースにおいて、第１の基本サービスセットＢＳＳ１内の第１のステーションＳＴＡ１及び第１のアクセスポイントＡＰ１のうちのいずれか一方又は両方は、第２の基本サービスセットＢＳＳ２内の第２のアクセスポイントＡＰ２から第２のステーションＳＴＡ２へのＲＴＳ送信を検知し／受信し得る。このことは、図８における破線矢印によって示されている。
【００６５】
ここで、第１のステーションＳＴＡ１及び第１のアクセスポイントＡＰ１の両方は、第２の基本サービスセットＢＳＳ２内の第２のアクセスポイントＡＰ２からのＲＴＳ送信を検知し／受信する場合、ＲＴＳ送信を無視する、即ち、ＲＴＳ送信に従ってＮＡＶを設定しないと決定する。
【００６６】
また、第１のアクセスポイントＡＰ１は、第２のアクセスポイントＡＰ２からの以前に受信されたＲＴＳ送信に関連付けられる以降のＣＴＳ送信（図５における一点鎖線矢印によって示されている）をも無視する、即ち、ＣＴＳ送信に従ってＮＡＶを設定しないとも決定する。その一方で、第１のステーションＳＴＡ１は、第２のアクセスポイントＡＰ２からの以前に受信されたＲＴＳ送信に関連付けられる以降のＣＴＳ送信を検知し／受信する場合、以降のＣＴＳ送信の受信信号強度又は受信信号電力が、第１のステーションＳＴＡ１における第２の決定される閾値を上回るかどうかを決定し得る。
【００６７】
以降のＣＴＳ送信が、第１のステーションＳＴＡ１における第２の決定される閾値を下回る場合、第１のステーションＳＴＡ１は、ＣＴＳ送信を無視してもよく、即ち、ＣＴＳ送信に応答してＮＡＶを設定しないと決定してもよい。この手続きは、図８における破線エリア８０１によって示される。しかしながら、以降のＣＴＳ送信が、第１のステーションＳＴＡ１における第２の決定される閾値を上回る場合、第１のステーションＳＴＡ１は、ＣＴＳ送信に従って自身のＮＡＶを設定してもよい。この手続きは、図８における破線エリア８０２によって示される。このことは、第１のステーションＳＴＡ１からのいかなるＵＬ送信も、第２の基本サービスセットＢＳＳ２内の第２のアクセスポイントＡＰ２から第２のステーションＳＴＡ２へのＤＬ送信において干渉を生じさせず、且つ、データパケット受信の失敗の恐れを生じさせないことを、この手続きが保証するという点で有利である。
【００６８】
ワイヤレス通信ネットワーク１００においてＲＴＳ／ＣＴＳ（Request-to-Send／Clear-to-Send）送信を扱うための方法のアクションを実行するために、第１のステーションＳＴＡ１は、図９に描かれる以下の構成を含み得る。第１のステーションＳＴＡ１は、第１の基本サービスセットＢＳＳ１内の第１のアクセスポイントＡＰ１によりサービスされる。
【００６９】
図９は、第１のステーションＳＴＡ１の実施形態の概略ブロック図を示す。幾つかの実施形態において、第１のステーションＳＴＡ１は、受信モジュール９０１、送信モジュール９０２、及びプロセッサ９１０を含み得る。受信モジュール９０１はここで、受信機又は受信ユニットとも言及され、ワイヤレス通信ネットワーク１００内の第１のアクセスポイントＡＰ１から信号を受信するために使用され得る。送信モジュール９０２はここで、送信機又は送信ユニットとも言及され、ワイヤレス通信ネットワーク１００内の第１のアクセスポイントＡＰ１へ信号を送信するために使用され得る。受信モジュール９０１及び送信モジュール９０２は、送受信モジュール又は送受信機へと組み合わされてもよい。プロセッサ９１０はここで、処理モジュール、処理ユニット、又は処理回路と言及されてもよく、第１のステーションＳＴＡ１の動作を制御し得る。プロセッサ９１０は、受信機９０１及び送信機９０２をも制御し得る。任意に、プロセッサ９１０は、受信機９０１及び送信機９０２のうちの１つ以上を含んでもよく、並びに／又は、それらの機能を実行してもよい。プロセッサ９１０は、第１のステーションＳＴＡ１のＮＡＶを設定するか否かを決定することのできる決定モジュール９１１を含んでもよい。
【００７０】
第１のステーションＳＴＡ１は、第２の基本サービスセットＢＳＳ２に関するＲＴＳ／ＣＴＳ送信を受信し、ＲＴＳ／ＣＴＳ送信が第２の基本サービスセットＢＳＳ２内の第２のステーションＳＴＡ２から送信されたのか又は第２のアクセスポイントＡＰ２から送信されたのかに基づいて、ＲＴＳ／ＣＴＳ送信に従ってＮＡＶ（Network  Allocation  Vector）を設定するか否かを決定する、ように構成される。
【００７１】
幾つかの実施形態において、第１のステーションＳＴＡ１は、ＲＴＳ／ＣＴＳ送信が第２のステーションＳＴＡ２から送信されたＲＴＳ送信であり又は第２のアクセスポイントＡＰ２から送信されたＣＴＳ送信である場合に、ＲＴＳ／ＣＴＳ送信に従ってＮＡＶを設定しないと決定し、ＲＴＳ／ＣＴＳ送信が第２のアクセスポイントＡＰ２から送信されたＲＴＳ送信であり又は第２のステーションＳＴＡ２から送信されたＣＴＳ送信である場合に、ＲＴＳ／ＣＴＳ送信に従ってＮＡＶを設定すると決定する、ようにさらに構成されてもよい。
【００７２】
幾つかの実施形態において、第１のステーションＳＴＡ１は、ＲＴＳ／ＣＴＳ送信が第２のステーションＳＴＡ２から送信されたＲＴＳ送信であり且つＲＴＳ送信の測定される信号電力が第１の決定される閾値を下回る場合、又は、ＲＴＳ／ＣＴＳ送信が第２のアクセスポイントＡＰ２から送信されたＣＴＳ送信である場合に、ＲＴＳ／ＣＴＳ送信に従ってＮＡＶを設定しないと決定するようにさらに構成されてもよい。
【００７３】
幾つかの実施形態において、第１のステーションＳＴＡ１は、第２のステーションＳＴＡ２からのＲＴＳ送信の測定される信号電力が第１の決定される閾値を上回る場合に、ＲＴＳ送信に従ってＮＡＶを設定しないと決定し、第１のアクセスポイントＡＰ１からの別のＲＴＳ送信を受信することに応答して、第１のアクセスポイントＡＰ１へのＣＴＳ送信において、近傍のアップリンク送信の今後の発生を示す情報を送信すること、第１のアクセスポイントＡＰ１からの別のＲＴＳ送信を受信することに応答して、第１のアクセスポイントＡＰ１へのＣＴＳ送信において、第１のアクセスポイントＡＰ１が第１のステーションＳＴＡ１へデータを送信可ではないことを示す情報を送信すること、又は、第２のステーションＳＴＡ２からのＲＴＳ送信によって示される時間ピリオドにわたり、第１のアクセスポイントＡＰ１からのいかなる受信されるＲＴＳ送信をも無視すること、のうちの１つをさらに実行する、ようにさらに構成されてもよい。
【００７４】
幾つかの実施形態において、第１のステーションＳＴＡ１は、ＲＴＳ／ＣＴＳ送信が第２のアクセスポイントＡＰ２から送信されたＲＴＳ送信である場合、又は、ＲＴＳ／ＣＴＳ送信が第２のステーションＳＴＡ２から送信されたＣＴＳ送信であり且つＣＴＳ送信の測定される信号電力が第２の決定される閾値を下回る場合に、ＲＴＳ／ＣＴＳ送信に従ってＮＡＶを設定しないと決定し、ＲＴＳ／ＣＴＳ送信が第２のステーションＳＴＡ２から送信されたＣＴＳ送信であり且つＣＴＳ送信の測定される信号電力が第２の決定される閾値を上回る場合に、ＲＴＳ／ＣＴＳ送信に従ってＮＡＶを設定すると決定する、ようにさらに構成されてもよい。
【００７５】
ワイヤレス通信ネットワーク１００においてＲＴＳ／ＣＴＳ（Request-to-Send／Clear-to-Send）送信を扱うための実施形態は、ここでの実施形態の機能及びアクションを実行するためのコンピュータプログラムコードと共に、例えば、図９に描かれる第１のステーションＳＴＡ１内のプロセッサ９１０といった１つ以上のプロセッサを通じて実装され得る。上述のプログラムコードは、例えば、第１のステーションＳＴＡ１内のプロセッサ９１０内にロードされた場合にここでの実施形態を実行する、ためのコンピュータプログラムコード又はコード手段を担持するデータ担体の形で、コンピュータプログラムプロダクトとして提供されてもよい。コンピュータプログラムコードは、例えば、第１のステーションＳＴＡ１内の純粋なプログラムコードとして提供されてもよく、又は、サーバ上に提供されて、第１のステーションＳＴＡ１にダウンロードされてもよい。担体は、電子信号、光信号、無線信号、又は、例えば、ＲＡＭ、ＲＯＭ、フラッシュメモリ、磁気テープ、ＣＤ−ＲＯＭ、ＤＶＤ、ブルーレイディスクなどのような電子メモリといったコンピュータ読取可能な記憶媒体、のうちの１つであってもよい。
【００７６】
第１のステーションＳＴＡ１は、メモリ９２０をさらに含み得る。このメモリ９２０は、１つ以上のメモリモジュール若しくはメモリユニットと言及されてもよく、又は、１つ以上のメモリモジュール若しくはメモリユニットを含んでもよい。メモリ９２０は、第１のステーションＳＴＡ１のプロセッサ９１０内で又はプロセッサ９１０により実行された場合にここに記載される方法を実行する実行可能な命令及びデータ、を記憶するために使用されるように手配され得る。当業者は、上記のプロセッサ９１０及びメモリ９２０が、アナログ回路及びデジタル回路の組合せへの言及であってもよいこと、並びに／又は、プロセッサ９１０といった１つ以上のプロセッサにより実行された場合に当該１つ以上のプロセッサに上記のような方法を実行させる、例えばメモリ９２０に記憶されたソフトウェア及び／若しくはファームウェアを用いて構成される１つ以上のプロセッサへの言及であってもよいこと、をも認識するであろう。プロセッサ９１０及びメモリ９２０は、処理手段として言及されてもよい。これらのプロセッサのうちの１つ以上と共に他のデジタルハードウェアが単一の特定用途向け集積回路（ＡＳＩＣ）内に含まれてもよく、又は、幾つかのプロセッサ及び種々のデジタルハードウェアが、個々にパッケージ化されるか、若しくはシステムオンチップ（ＳｏＣ）へとアセンブルされるかに関わらず、幾つかの別個のコンポーネント間で分散されてもよい。
【００７７】
上記のことから、幾つかの実施形態が、少なくとも１つのプロセッサ、例えばプロセッサ９１０上で実行されると、ワイヤレス通信ネットワーク１００においてＲＴＳ／ＣＴＳ（Request-to-Send／Clear-to-Send）送信を扱うための方法を当該少なくとも１つのプロセッサに遂行させる命令、を含むコンピュータプログラムプロダクトを含んでもよいことが理解されるであろう。また、幾つかの実施形態は、上記のコンピュータプログラムプロダクトを収容する担体をさらに含んでよく、担体は、電子信号、光信号、無線信号、又はコンピュータ読取可能な記憶媒体のうちの１つである。
【００７８】
また、第１のステーションＳＴＡ１の種々の例示的な実施形態は、以下の例に従っても説明され得る。
【００７９】
１つの例によると、第１のステーションＳＴＡ１は、ワイヤレス通信ネットワーク１００においてＲＴＳ／ＣＴＳ（Request-to-Send／Clear-to-Send）送信を扱うための第１のステーションＳＴＡ１であり得る。第１のステーションＳＴＡ１は、第１の基本サービスセットＢＳＳ１内の第１のアクセスポイントＡＰ１によりサービスされる。第１のステーションＳＴＡ１は、第２の基本サービスセットＢＳＳ２に関するＲＴＳ／ＣＴＳ送信を受信するための受信モジュール９０１と、ＲＴＳ／ＣＴＳ送信が第２の基本サービスセットＢＳＳ２内の第２のステーションＳＴＡ２から送信されたのか又は第２のアクセスポイントＡＰ２から送信されたのかに基づいて、ＲＴＳ／ＣＴＳ送信に従ってＮＡＶ（Network  Allocation  Vector）を設定するか否かを決定するための決定モジュール９１１と、を含む。ここで、第１のステーションＳＴＡ１のモジュールは、幾つかの実施形態において、プロセッサ、例えば処理モジュール９１０によって実行されるための、メモリ内、例えばメモリモジュール９２０内に記憶されるコンピュータプログラムとして実装されてもよい。
【００８０】
別の例によると、第１のステーションＳＴＡ１は、ワイヤレス通信ネットワーク１００においてＲＴＳ／ＣＴＳ（Request-to-Send／Clear-to-Send）送信を扱うための第１のステーションＳＴＡ１であり得る。第１のステーションＳＴＡ１は、第１の基本サービスセットＢＳＳ１内の第１のアクセスポイントＡＰ１によりサービスされる。第１のステーションＳＴＡ１は、受信機９０１、プロセッサ９１０、及びメモリ９２０を含み、上記メモリ９２０は、上記プロセッサ９１０により実行可能な命令を収容し、それにより、上記第１のステーションＳＴＡ１は、第２の基本サービスセットＢＳＳ２に関するＲＴＳ／ＣＴＳ送信を受信し、ＲＴＳ／ＣＴＳ送信が第２の基本サービスセットＢＳＳ２内の第２のステーションＳＴＡ２から送信されたのか又は第２のアクセスポイントＡＰ２から送信されたのかに基づいて、ＲＴＳ／ＣＴＳ送信に従ってＮＡＶ（Network  Allocation  Vector）を設定するか否かを決定する、ように構成される。
【００８１】
ワイヤレス通信ネットワーク１００においてＲＴＳ／ＣＴＳ（Request-to-Send／Clear-to-Send）送信を扱うための方法のアクションを実行するために、第１のアクセスポイントＡＰ１は、図１０に描かれる以下の構成を含み得る。第１のアクセスポイントＡＰ１は、第１の基本サービスセットＢＳＳ１内の少なくとも第１のステーションＳＴＡ１にサービスする。
【００８２】
図１０は、第１のアクセスポイントＡＰ１の実施形態の概略ブロック図を示す。幾つかの実施形態において、第１のアクセスポイントＡＰ１は、受信モジュール１００１、送信モジュール１００２、及びプロセッサ１０１０を含み得る。受信モジュール１００１はここで、受信機又は受信ユニットとも言及され、ワイヤレス通信ネットワーク１００内の第１のステーションＳＴＡ１から信号を受信するために使用され得る。送信モジュール１００２はここで、送信機又は送信ユニットとも言及され、ワイヤレス通信ネットワーク１００内の第１のステーションＳＴＡ１へ信号を送信するために使用され得る。受信モジュール１００１及び送信モジュール１００２は、送受信モジュール又は送受信機へと組み合わされてもよい。プロセッサ１０１０はここで、処理モジュール、処理ユニット、又は処理回路と言及されてもよく、第１のアクセスポイントＡＰ１の動作を制御し得る。プロセッサ１０１０は、受信機１００１及び送信機１００２を制御してもよい。任意に、プロセッサ１０１０は、受信機１００１及び送信機１００２のうちの１つ以上を含んでもよく、並びに／又は、それらの機能を実行してもよい。プロセッサ１０１０は、第１のアクセスポイントＡＰ１のＮＡＶを設定するか否かを決定することのできる決定モジュール１０１１をも含み得る。
【００８３】
第１のアクセスポイントＡＰ１は、第２の基本サービスセットＢＳＳ２に関するＲＴＳ／ＣＴＳ送信を受信し、ＲＴＳ／ＣＴＳ送信が第２の基本サービスセットＢＳＳ２内の第２のステーションＳＴＡ２から送信されたのか又は第２のアクセスポイントＡＰ２から送信されたのかに基づいて、ＲＴＳ／ＣＴＳ送信に従ってＮＡＶ（Network  Allocation  Vector）を設定するか否かを決定する、ように構成される。
【００８４】
幾つかの実施形態において、第１のアクセスポイントＡＰ１は、ＲＴＳ／ＣＴＳ送信が第２のステーションＳＴＡ２から送信されたＲＴＳ送信であり又は第２のアクセスポイントＡＰ２から送信されたＣＴＳ送信である場合に、ＲＴＳ／ＣＴＳ送信に従ってＮＡＶを設定すると決定し、ＲＴＳ／ＣＴＳ送信が第２のアクセスポイントＡＰ２から送信されたＲＴＳ送信であり又は第２のステーションＳＴＡ２から送信されたＣＴＳ送信である場合に、ＲＴＳ／ＣＴＳ送信に従ってＮＡＶを設定しないと決定する、ようにさらに構成されてもよい。
【００８５】
幾つかの実施形態において、第１のアクセスポイントＡＰ１は、第１のステーションＳＴＡ１への別のＲＴＳ送信信号を送信することに応答して、第１のステーションＳＴＡ１からの別のＣＴＳ送信において、近傍のアップリンク送信の今後の発生を示す情報を受信し、受信された情報に基づいて、第１のステーションＳＴＡ１への以降のデータ送信の１つ以上の送信パラメータを設定する、ようにさらに構成されてもよい。幾つかの実施形態において、第１のアクセスポイントＡＰ１は、第１のステーションＳＴＡ１への別のＲＴＳ送信信号を送信することに応答して、第１のステーションＳＴＡ１からの別のＣＴＳ送信において、第１のアクセスポイントＡＰ１が第１のステーションＳＴＡ１へデータを送信可ではないことを示す情報を受信する、ようにさらに構成されてもよい。
【００８６】
ワイヤレス通信ネットワーク１００においてＲＴＳ／ＣＴＳ（Request-to-Send／Clear-to-Send）送信を扱うための実施形態は、ここでの実施形態の機能及びアクションを実行するためのコンピュータプログラムコードと共に、例えば、図１０に描かれる第１のアクセスポイントＡＰ１内のプロセッサ１０１０といった１つ以上のプロセッサを通じて実装されてもよい。上述のプログラムコードは、例えば、第１のアクセスポイントＡＰ１内のプロセッサ１０１０内にロードされた場合にここでの実施形態を実行する、ためのコンピュータプログラムコード又はコード手段を担持するデータ担体の形で、コンピュータプログラムプロダクトとして提供されてもよい。コンピュータプログラムコードは、例えば、第１のアクセスポイントＡＰ１の純粋なプログラムコードとして提供されてもよく、又は、サーバ上に提供されて、第１のアクセスポイントＡＰ１にダウンロードされてもよい。担体は、電子信号、光信号、無線信号、又は、例えば、ＲＡＭ、ＲＯＭ、フラッシュメモリ、磁気テープ、ＣＤ−ＲＯＭ、ＤＶＤ、ブルーレイディスクなどのような電子メモリといったコンピュータ読取可能な記憶媒体、のうちの１つであってもよい。
【００８７】
第１のアクセスポイントＡＰ１は、メモリ１０２０をさらに含み得る。このメモリ１０２０は、１つ以上のメモリモジュール若しくはメモリユニットと言及されてもよく、又は、１つ以上のメモリモジュール若しくはメモリユニットを含んでもよい。メモリ１０２０は、第１のアクセスポイントＡＰ１のプロセッサ１０１０内で又はプロセッサ１０１０により実行された場合にここに記載される方法を実行する実行可能な命令及びデータを記憶するために使用されるように手配され得る。当業者は、上記のプロセッサ１０１０及びメモリ１０２０が、アナログ回路及びデジタル回路の組合せへの言及であってもよいこと、並びに／又は、プロセッサ１０１０といった１つ以上のプロセッサにより実行された場合に当該１つ以上のプロセッサに上記のような方法を実行させる、例えばメモリ１０２０に記憶されたソフトウェア及び／若しくはファームウェアを用いて構成される１つ以上のプロセッサへの言及であってもよいこと、をも認識するであろう。プロセッサ１０１０及びメモリ１０２０は、処理手段として言及されてもよい。これらのプロセッサのうちの１つ以上と共に他のデジタルハードウェアが単一の特定用途向け集積回路（ＡＳＩＣ）内に含まれてもよく、又は、幾つかのプロセッサ及び種々のデジタルハードウェアが、個々にパッケージ化されるか、若しくはシステムオンチップ（ＳｏＣ）へとアセンブルされるかに関わらず、幾つかの別個のコンポーネント間で分散されてもよい。
【００８８】
上記のことから、幾つかの実施形態が、少なくとも１つのプロセッサ、例えばプロセッサ１０１０上で実行されると、ワイヤレス通信ネットワーク１００においてＲＴＳ／ＣＴＳ（Request-to-Send／Clear-to-Send）送信を扱うための方法を当該少なくとも１つのプロセッサに遂行させる命令、を含むコンピュータプログラムプロダクトを含んでもよいことが理解されるであろう。また、幾つかの実施形態は、上記のコンピュータプログラムプロダクトを収容する担体をさらに含んでよく、担体は、電子信号、光信号、無線信号、又はコンピュータ読取可能な記憶媒体のうちの１つである。
【００８９】
また、第１のアクセスポイントＡＰ１の種々の例示的な実施形態は、以下の例に従っても説明され得る。
【００９０】
１つの例によると、第１のアクセスポイントＡＰ１は、ワイヤレス通信ネットワーク１００においてＲＴＳ（Request-to-Send）送信を扱うための第１のアクセスポイントＡＰ１であり得る。第１のアクセスポイントＡＰ１は、第１の基本サービスセットＢＳＳ１内の少なくとも第１のステーションＳＴＡ１にサービスする。第１のアクセスポイントＡＰ１は、第２の基本サービスセットＢＳＳ２に関するＲＴＳ／ＣＴＳ送信を受信するための受信モジュール１００１と、ＲＴＳ／ＣＴＳ送信が第２の基本サービスセットＢＳＳ２内の第２のステーションＳＴＡ２から送信されたのか又は第２のアクセスポイントＡＰ２から送信されたのかに基づいて、ＲＴＳ／ＣＴＳ送信に従ってＮＡＶ（Network  Allocation  Vector）を設定するか否かを決定するための決定モジュール１０１１と、を含む。ここで、第１のアクセスポイントＡＰ１のモジュールは、幾つかの実施形態において、プロセッサ、例えば処理モジュール１０１０によって実行されるための、メモリ内、例えばメモリモジュール１０２０内に記憶されるコンピュータプログラムとして実装されてもよい。
【００９１】
別の例によると、第１のアクセスポイントＡＰ１は、ワイヤレス通信ネットワーク１００においてＲＴＳ（Request-to-Send）送信を扱うための第１のアクセスポイントＡＰ１であり得る。第１のアクセスポイントＡＰ１は、第１の基本サービスセットＢＳＳ１内の少なくとも第１のステーションＳＴＡ１にサービスする。第１のアクセスポイントＡＰ１は、受信機１００１、プロセッサ１０１０、及びメモリ１０２０を含み、上記メモリ１０２０は、上記プロセッサ１０１０により実行可能な命令を収容し、それにより、上記第１のアクセスポイントＡＰ１は、第２の基本サービスセットＢＳＳ２に関するＲＴＳ／ＣＴＳ送信を受信し、ＲＴＳ／ＣＴＳ送信が第２の基本サービスセットＢＳＳ２内の第２のステーションＳＴＡ２から送信されたのか又は第２のアクセスポイントＡＰ２から送信されたのかに基づいて、ＲＴＳ／ＣＴＳ送信に従ってＮＡＶ（Network  Allocation  Vector）を設定するか否かを決定する、ように構成される。
【００９２】
添付の図面において示される具体的な実施形態の詳細な説明において使用されている専門用語は、ここでの第１のステーションＳＴＡ１、第１のアクセスポイントＡＰ１、及び方法の限定であるものとして意図されておらず、これらはむしろ、別添の特許請求の範囲に鑑みて解釈されるべきである。
【００９３】
ここで使用されるような、“及び／又は（and/or）”という用語は、関連付けられて列挙されている項目のうちの１つ以上の、あらゆる全ての組合せを含む。
【００９４】
さらに、ここで使用されるような、一般的な略語である“例えば（e.g.）”は、ラテン語の語句である“exempli  gratia”に由来するが、前に言及される項目のうちの１つ又は複数の一般的な例を、導入するか又は特定するために使用されてよく、これらの項目の限定であることが意図されない。一般的な略語である“即ち（i.e.）”は、ラテン語の語句である“id  est”に由来し、この略語がここで使用される場合、より包括的な記述内容から具体的な項目を特定するために使用され得る。一般的な略語である“など（etc.）”は、“及びその他のもの（and  other  things）”又は“など（and  so  on）”を意味するラテン語の表現である“et  cetera”に由来し、直前に列挙した特徴に類似する、さらなる特徴が存在することを示すために、ここで使用されているかもしれない。
【００９５】
ここで使用されるような、単数形である“a”、“an”、及び“the”は、明示的に特段述べられていない限り、複数形をも含むことが意図される。さらに理解されるであろう点は、“含む（includes）”、“含む（comprises）”、“含む（including）”、及び／又は“含む（comprising）”という用語がこの明細書内で使用される場合、述べられた特徴、アクション、整数、ステップ、動作、エレメント、及び／又はコンポーネントの存在を明記するものの、１つ以上の他の特徴、アクション、整数、ステップ、動作、エレメント、コンポーネント、及び／又はそれらの集合の存在又は追加を排除しないという点である。
【００９６】
別段定義されない限り、ここで使用される技術的用語及び学術的用語を含む全ての用語は、記載される実施形態が属する技術における当業者が一般的に理解する意味と同じ意味を有する。さらに理解されるであろう点は、一般的に使用される辞書で定義されるものなどの用語が、関連技術の文脈でのそれらの意味と整合性を有する意味を有するものとして解釈されるべきであり、ここで明示的にそのように定義されない限り、理想化された意味合い又は過度に形式的な意味合いで解釈されないという点である。
【００９７】
ここでの実施形態は、上記の好ましい実施形態に限定されない。種々の変形例、修正例、及び均等物が使用されてよい。したがって、上記の実施形態は、限定として解釈されるべきではない。
【００９８】
［略語］
ＡＰ        Access  Point  
ＢＳＳ      Basic  Service  Set
ＣＣＡ      Channel  Assessment
ＣＴＳ      Clear-to-Send
ＤＣＦ      Distributed  Coordination  Function
ＤＩＦＳ    Distributed  Inter-Frame  Space
ＭＣＳ      Modulation  and  Coding  Scheme
ＮＡＶ      Network  Allocation  Vector
ＯＢＳＳ    Overlapping  Basic  Service  Set
ＲＴＳ      Request-to-Send
ＳＩＦＳ    Short  Inter-Frame  Space
ＳＴＡ      Station
【図１】
0006514368.tif 000004
【図２】
0006514368.tif 000005
【図３】
0006514368.tif 000006
【図４】
0006514368.tif 000007
【図５】
0006514368.tif 000008
【図６】
0006514368.tif 000009
【図７】
0006514368.tif 000010
【図８】
0006514368.tif 000011
【図９】
0006514368.tif 000012
【図１０】
0006514368.tif 000013